(57)【要約】【課題】  複数の画像を同時に表示することが可能な表示装置において、それぞれの画像を視認する個別の操作者からの入力（操作）を適切に行うことが可能な表示装置、表示装置の操作入力画像カスタマイズ方法、及び表示装置の操作入力画像設定方法を提供することを目的とする。【解決手段】  複数の視方向に対する個別の表示画像を同一画面上に表示する表示部（７）と、表示部に設けられた操作入力部（１２４）と、表示部に表示される各視方向に対する操作入力部の操作入力位置を示す操作入力画像の表示位置を調整する制御部（２００）を有することを特徴とする表示装置（２０）。【選択図】      図１０
2006190245.tif 000002
【特許請求の範囲】
【請求項１】
複数の視方向に対する個別の表示画像を同一画面上に表示する表示部と、
前記表示部に設けられた操作入力部と、
前記表示部に表示される各視方向に対する前記操作入力部の操作入力位置を示す操作入力画像の表示位置を調整する制御部と、
を有することを特徴とする表示装置。
【請求項２】
前記制御部は、各視方向に対応する前記操作入力画像の表示位置が、前記表示部上で重複しないように、前記操作入力画像の表示位置を調整する、請求項１に記載の表示装置。
【請求項３】
前記制御部は、前記複数の視方向の内の１つの視方向に対応する操作入力画像の表示位置に応じて、前記複数の視方向の内の他の視方向に対応する他の操作入力画像の表示位置を調整する、請求項１又は２に記載の表示装置。
【請求項４】
前記制御部は、前記複数の視方向の内の１つの視方向に対応する操作入力画像の表示位置と、前記複数の視方向の内の他の視方向に対応する他の操作入力画像の表示位置をそれぞれ調整する、請求項１に記載の表示装置。
【請求項５】
操作者を特定する操作者特定部を更に有し、
前記制御部は、前記操作者特定部の特定結果に基づいて、前記操作入力画像の表示位置を調整する、請求項１〜４の何れか一項に記載の表示装置。
【請求項６】
前記制御部は、前記表示画像に対応するソースに応じて前記操作入力画像の表示位置を調整する、請求項１〜５の何れか一項に記載の表示装置。
【請求項７】
複数の前記操作入力画像の表示位置を予め定めた操作入力画像位置パターンの内から特定のパターンを選択するための選択部を更に有し、
前記制御部は、前記選択部によって選択されたパターンに基づいて、前記操作入力画像の表示位置を調整する、請求項１〜６の何れか一項に記載の表示装置。
【請求項８】
前記操作入力画像の表示位置を、各視方向で独立して登録する登録部を更に有する、請求項１〜７の何れか一項に記載の表示装置。
【請求項９】
前記登録部で登録された前記操作入力画像の表示位置に基づいて、前記操作入力画像の表示位置を設定する設定部を更に有する、請求項８に記載の表示装置。
【請求項１０】
複数の視方向に対する個別の表示画像を同一画面上に表示するとともに、各視方向に対する操作入力位置を示す操作入力画像を表示する表示装置における操作入力画像カスタマイズ方法であって、
前記操作入力画像の表示位置を調整する調整ステップと、
調整された表示位置を登録する登録ステップと、
を有することを特徴とする操作入力画像カスタマイズ方法。
【請求項１１】
前記調整ステップは、
視方向、前記表示画像に対応するソース情報及び操作者の内の少なくとも１つを特定する特定情報を特定する特定ステップと、
特定された前記特定情報に対応させて前記操作入力画像の表示位置を調整するステップを含み、
前記登録ステップは、調整された前記操作入力画像の表示位置を特定された前記特定情報に対応させて登録する、請求項１０に記載の操作入力画像カスタマイズ方法。
【請求項１２】
調整された前記操作入力画像の表示位置が、他の視方向に対する操作入力画像の表示位置に重複する場合に報知を行う報知ステップを更に有する、請求項１０又は１１に記載の操作入力画像カスタマイズ方法。
【請求項１３】
複数の視方向に対する個別の表示画像を同一画面上に表示するとともに、各視方向に対する操作入力位置を示す操作入力画像を表示する表示装置における操作入力画像設定方法であって、
視方向、前記表示画像に対応するソース情報及び操作者の内の少なくとも１つを特定する特定情報を特定する特定ステップと、
特定された前記特定情報に対応する予め記憶された前記操作入力画像の表示位置に、前記操作入力画像を設定するステップと、
を有することを特徴とする操作入力画像設定方法。
【請求項１４】
前記設定ステップは、１つの視方向に対する操作入力画像の表示位置と、他の視方向に対する操作入力画像の表示位置が重複する場合、少なくとも何れか一方の視方向に対する操作入力画像の表示位置を移動させる移動ステップを含む、請求項１３に記載の操作入力画像設定方法。
【請求項１５】
前記設定ステップは、１つの視方向に対する操作入力画像の表示位置と、他の視方向に対する操作入力画像の表示位置が重複する場合、報知を行う報知ステップを含む、請求項１３に記載の操作入力画像設定方法。
【発明の詳細な説明】
【技術分野】
【０００１】
本発明は、複数の視方向に対する個別の表示画像を同一画面上の表示することにより、１つの表示画面で視方向に応じてそれぞれ異なる内容の表示を観察することができる表示装置、そのような表示装置の操作入力画面カスタマイズ方法、及び表示装置の操作入力画像設定方法に関するものである。
【背景技術】
【０００２】
特許文献１〜特許文献３は、１台の液晶ディスプレイ（ＬＣＤ）で２画面を同時に表示することができ、例えば、運転席と助手席とからそれぞれ異なる画面を見ることができる表示装置を開示している。また特許文献４及び特許文献５は、２種類の映像を、同時に、同一画面に表示することができる２画面表示装置を開示している。さらに、特許文献６及び７は、立体イメージを表示するために、視野方向を制限するためにバリアについて開示している。
【０００３】
このようなマルチビュー対応表示装置では、表示部の表示画像を縦方向に多数分割し、それらを右側用表示部と左側表示部とに分け、右側用表示部には運転席用画像を表示し、左側用表示部には助手席用画像を表示するものである。これによって、複数の視方向（例えば、運転席と助手席）でそれぞれ異なる画像を観測することが可能となる。
【０００４】
【特許文献１】特開平６−１８６５２６号公報
【特許文献２】特開２０００−１３７４４３号公報
【特許文献３】特開２００３−１３７００５号公報
【特許文献４】特開平１１−３３１８７６号公報
【特許文献５】特開平９−４６６２２号公報
【特許文献６】特開平１０−１２３４６１号公報
【特許文献７】特開平１１−８４１３１号公報
【発明の開示】
【発明が解決しようとする課題】
【０００５】
特に車両に搭載される表示装置においては、画像を観察・視認しながら様々な入力（操作）を行い、さらに新たな情報を得ようとする場合が多い。しかしながら、運転席側と助手席側とでそれぞれ異なった画像を表示した場合等に、表示部に表示した操作ボタン画像を用いてそれぞれの座席側から、どのように操作を行うかについての明確な指標は示されていなかった。
【０００６】
そこで、本発明は、複数の画像を同時に表示することが可能な表示装置において、それぞれの画像を視認する個別の操作者からの入力（操作）を適切に行うことが可能な表示装置を提供することを目的とする。
【課題を解決するための手段】
【０００７】
上記課題を解決するために、本発明に係る表示装置は、複数の視方向に対する個別の表示画像を同一画面上に表示する表示部と、表示部に設けられた操作入力部と、表示部に表示される各視方向に対する操作入力部の操作入力位置を示す操作入力画像の表示位置を調整する制御部を有することを特徴とする。
【０００８】
さらに、本発明に係る表示装置では、制御部は、各視方向に対応する操作入力画像の表示位置が、表示部上で重複しないように、操作入力画像の表示位置を調整することが好ましい。
【０００９】
さらに、本発明に係る表示装置では、制御部は、複数の視方向の内の１つの視方向に対応する操作入力画像の表示位置に応じて、複数の視方向の内の他の視方向に対応する他の操作入力画像の表示位置を調整することが好ましい。
【００１０】
さらに、本発明に係る表示装置では、制御部は、複数の視方向の内の１つの視方向に対応する操作入力画像の表示位置と、複数の視方向の内の他の視方向に対応する他の操作入力画像の表示位置をそれぞれ調整することが好ましい。
【００１１】
さらに、本発明に係る表示装置では、操作者を特定する操作者特定部を更に有し、制御部は、操作者特定部の特定結果に基づいて、操作入力画像の表示位置を調整することが好ましい。
【００１２】
さらに、本発明に係る表示装置では、制御部は、表示画像に対応するソースに応じて操作入力画像の表示位置を調整することが好ましい。
【００１３】
さらに、本発明に係る表示装置では、複数の操作入力画像の表示位置を予め定めた操作入力画像位置パターンの内から特定のパターンを選択するための選択部を更に有し、制御部は、選択部によって選択されたパターンに基づいて、操作入力画像の表示位置を調整することが好ましい。
【００１４】
さらに、本発明に係る表示装置では、操作入力画像の表示位置を、各視方向で独立して登録する登録部を更に有することが好ましい。
【００１５】
さらに、本発明に係る表示装置では、登録部で登録された操作入力画像の表示位置に基づいて、操作入力画像の表示位置を設定する設定部を更に有することが好ましい。
【００１６】
上記課題を解決するために、本発明に係る操作入力画像のカスタマイズ方法は、操作入力画像の表示位置を調整する調整ステップと、調整された表示位置を登録する登録ステップを有することを特徴とする。
【００１７】
さらに、本発明に係る操作入力画像のカスタマイズ方法では、調整ステップは、視方向、表示画像に対応するソース情報及び操作者の内の少なくとも１つを特定する特定情報を特定する特定ステップと、特定された特定情報に対応させて操作入力画像の表示位置を調整するステップを含み、
登録ステップは、調整された操作入力画像の表示位置を特定された特定情報に対応させて登録することが好ましい。
【００１８】
さらに、本発明に係る操作入力画像のカスタマイズ方法では、調整された操作入力画像の表示位置が、他の視方向に対する操作入力画像の表示位置に重複する場合に報知を行う報知ステップを更に有することが好ましい。
【００１９】
上記課題を解決するために、本発明に係る表示装置の操作入力画像設定方法は、視方向、表示画像に対応するソース情報及び操作者の内の少なくとも１つを特定する特定情報を特定する特定ステップと、特定された特定情報に対応する予め記憶された操作入力画像の表示位置に、操作入力画像を設定するステップとを有することを特徴とする。
【００２０】
さらに、本発明に係る表示装置の操作入力画像設定方法では、設定ステップは、１つの視方向に対する操作入力画像の表示位置と、他の視方向に対する操作入力画像の表示位置が重複する場合、少なくとも何れか一方の視方向に対する操作入力画像の表示位置を移動させる移動ステップを含むことが好ましい。
【００２１】
さらに、本発明に係る表示装置の操作入力画像設定方法では、設定ステップは、１つの視方向に対する操作入力画像の表示位置と、他の視方向に対する操作入力画像の表示位置が重複する場合、報知を行う報知ステップを含むことが好ましい。
【００２２】
本発明に係る表示装置は、第１の方向において観察できる第１の画像と第２の方向において観察できる第２の画像を表示できる表示部と、第１の画像および第２の画像を表示部に表示させる制御部と、表示部の前面に配置されるタッチパネルを備え、制御部は第１の方向と第２の方向におけるタッチパネル上の操作入力位置が重複しないように表示部に表示する第１の画像と第２の画像における入力受付画像の表示位置を調整することを特徴としても良い。
【００２３】
さらに、本発明に係る表示装置では、制御部は、第１の画像と第２の画像の一方の入力受付画像の位置に応じて、他方の入力受付画像の表示位置を調整することが好ましい。
【００２４】
さらに、本発明に係る表示装置では、制御部は、第１の方向と第２の方向の各方向に応じた入力受付画像の表示位置を調整することが好ましい。
【００２５】
さらに、本発明に係る表示装置では、操作者を特定する操作者特定部を有し、制御部は操作者特定部における特定結果に基づいて、操作者毎に入力受付画像の表示位置を調整することが好ましい。
【００２６】
さらに、本発明に係る表示装置では、制御部は画像のソースに応じた入力受付画像の表示位置を調整することが好ましい。
【００２７】
さらに、本発明に係る表示装置では、入力受付画像の表示位置を予め定めた入力受付画像表示位置パターンを複数設け、入力受付画像表示位置パターンを選択するためのパターン選択部を有し、制御部はパターン選択部の選択に応じて入力受付画像の表示位置を調整することが好ましい。
【００２８】
本発明に係る表示装置は、第１の方向において観察できる第１の画像と第２の方向において観察できる第２の画像を表示できる表示部と、第１の画像および第２の画像を前記表示部に表示させる制御部と、表示部の前面に配置されるタッチパネルを備え、制御部は表示部に表示される画像に含まれる入力受付画像の配置を第１の画像と第２の画像で独立して登録する登録機能を備えたことを特徴としても良い。
【００２９】
本発明に係る表示装置は、第１の方向において観察できる第１の画像と第２の方向において観察できる第２の画像を表示できる表示部と、第１の画像および第２の画像を表示部に表示させる制御部と、表示部の前面に配置されるタッチパネルを備え、制御部は予め定められた操作が行われると表示部に表示される画像に含まれる入力受付画像の配置を第１の画像と第２の画像で独立して設定することを特徴としても良い。
【００３０】
さらに、本発明に係る表示装置では、入力受付画像の配置を記憶する記憶手段を備え、制御部は記憶手段から入力受付画像の配置を読み出して、表示部に表示される画像に含まれる入力受付画像の配置を設定することが好ましい。
【００３１】
本発明に係る表示カスタマイズ方法では、第１の方向において観察できる第１の画像と第２の方向において観察できる第２の画像を表示できる表示部と、表示部の前面に配置されるタッチパネルと、第１の画像および第２の画像を表示部に表示させる制御部とを有する表示装置において、
観察方向を決定する方向決定ステップと、方向決定ステップで決定された観察方向に対応させて表示ボタンの表示位置を決定する表示位置決定ステップと、表示位置決定ステップにおいて決定された表示ボタンの表示位置を登録する登録ステップと、を有することを特徴としても良い。
【００３２】
本発明に係る表示カスタマイズ方法では、第１の方向において観察できる第１の画像と第２の方向において観察できる第２の画像を表示できる表示部と、表示部の前面に配置されるタッチパネルと、第１の画像および第２の画像を表示部に表示させる制御部とを有する表示装置において、
ソース情報を決定するソース情報決定ステップと、表示ボタンの表示位置を決定する表示位置決定ステップと、表示位置決定ステップにおいて決定された表示ボタンの表示位置をソース情報決定ステップで決定されたソース情報に対応させて登録する登録ステップと、を有することを特徴としても良い。
【００３３】
本発明に係る表示カスタマイズ方法では、第１の方向において観察できる第１の画像と第２の方向において観察できる第２の画像を表示できる表示部と、表示部の前面に配置されるタッチパネルと、第１の画像および第２の画像を表示部に表示させる制御部とを有する表示装置において、
操作者を特定する操作者特定ステップと、表示ボタンの表示位置を決定する表示位置決定ステップと、表示位置決定ステップにおいて決定された表示ボタンの表示位置を操作者特定ステップで選択された操作者に対応させて登録する登録ステップと、を有することを特徴としても良い。
【００３４】
さらに、本発明に係る表示カスタマイズ方法では、表示位置決定ステップと前記登録ステップとの間に方向選択ステップで選択された観察方向とは異なる方向において既に登録された表示ボタンの表示位置と表示位置決定ステップにおいて決定された表示ボタンの表示位置を比較する比較ステップと、比較ステップにおいて両方向の表示ボタンの表示位置が重複するとその旨を通知する通知ステップと、をさらに有することが好ましい。
【００３５】
さらに、本発明に係る表示カスタマイズ方法では、登録ステップよりも前にソース情報を決定するソース情報決定ステップをさらに有し、登録ステップでは、表示位置決定ステップにおいて決定された表示ボタンの表示位置をソース情報決定ステップで決定されたソース情報に対応させて登録することが好ましい。
【００３６】
さらに、本発明に係る表示カスタマイズ方法では、登録ステップよりも前に操作者を特定する操作者特定ステップをさらに有し、登録ステップでは表示位置決定ステップにおいて決定された表示ボタンの表示位置を操作者特定ステップで特定された操作者に対応させて登録することが好ましい。
【００３７】
さらに、本発明に係る表示カスタマイズ方法では、登録ステップよりも前に操作者を特定する操作者特定ステップをさらに有し、登録ステップでは表示位置決定ステップにおいて決定された表示ボタンの表示位置をソース情報決定ステップで決定されたソース情報と操作者特定ステップにおいて特定された操作者に対応させて登録することが好ましい。
【００３８】
本発明に係る設定方法では、第１の方向において観察できる第１の画像と第２の方向において観察できる第２の画像を表示できる表示部と、表示部の前面に配置されるタッチパネルと、第１の画像および第２の画像を表示部に表示させる制御部とを有する表示装置において、
観察方向を決定する方向決定ステップと、方向決定ステップにおいて決定された観察方向に対応する予め記憶された表示ボタンの表示位置を読み出す表示位置読み出しステップと、表示位置読み出しステップにおいて読み出した表示ボタンの表示位置を設定する設定ステップと、を有することを特徴としても良い。
【００３９】
本発明に係る設定方法では、第１の方向において観察できる第１の画像と第２の方向において観察できる第２の画像を表示できる表示部と、表示部の前面に配置されるタッチパネルと、第１の画像および第２の画像を前記表示部に表示させる制御部とを有する表示装置において、
ソース情報を決定するソース情報決定ステップと、ソース情報決定ステップにおいて決定されたソース情報に対応する予め記憶された表示ボタンの表示位置を読み出す表示位置読み出しステップと、表示位置読み出しステップにおいて読み出した表示ボタンの表示位置を設定する設定ステップと、を有することを特徴としても良い。
【００４０】
本発明に係る設定方法では、第１の方向において観察できる第１の画像と第２の方向において観察できる第２の画像を表示できる表示部と、表示部の前面に配置されるタッチパネルと、第１の画像および前記第２の画像を前記表示部に表示させる制御部とを有する表示装置において、
操作者を特定する操作者特定ステップと、操作者特定ステップにおいて特定された操作者に対応する予め記憶された表示ボタンの表示位置を読み出す表示位置読み出しステップと、表示位置読み出しステップにおいて読み出した表示ボタンの表示位置を設定する設定ステップと、を有することを特徴としても良い。
【００４１】
さらに、本発明に係る設定方法では、表示位置読み出しステップよりも前にソース情報を決定するソース情報決定ステップをさらに有し、表示位置読み出しステップでは方向決定ステップにおいて決定された観察方向とソース情報決定ステップにおいて決定されたソース情報に対応する予め記憶された表示ボタンの表示位置を読み出すことが好ましい。
【００４２】
さらに、本発明に係る設定方法では、表示位置読み出しステップよりも前に操作者を特定する操作者特定ステップをさらに有し、表示位置読み出しステップでは方向決定ステップにおいて決定された観察方向と操作者特定ステップにおいて特定された操作者に対応する予め記憶された表示ボタンの表示位置を読み出すことが好ましい。
【００４３】
さらに、本発明に係る設定方法では、表示位置読み出しステップよりも前に操作者を特定する操作者特定ステップをさらに有し、表示位置読み出しステップではソース情報決定ステップにおいて決定されたソース情報と、操作者特定ステップにおいて特定された操作者に対応する予め記憶された表示ボタンの表示位置を読み出すことが好ましい。
【００４４】
さらに、本発明に係る設定方法では、表示位置読み出しステップと前記設定ステップとの間に方向選択ステップで選択された観察方向とは異なる方向において表示される表示ボタンの表示位置と表示位置読み出しステップにおいて読み出された表示ボタンの表示位置を比較する比較ステップと、比較ステップにおいて両方向の表示ボタンの表示位置が重複すると当該重複する表示ボタン位置を重複しないように移動させる表示位置移動ステップと、をさらに有することが好ましい。
【００４５】
さらに、本発明に係る設定方法では、表示位置読み出しステップと設定ステップとの間に、方向選択ステップで選択された観察方向とは異なる方向において表示される表示ボタンの表示位置と表示位置読み出しステップにおいて読み出された表示ボタンの表示位置を比較する比較ステップと、比較ステップにおいて両方向の表示ボタンの表示位置が重複するとその旨を通知する通知ステップと、をさらに有することが好ましい。
【００４６】
本発明に係る表示装置は、第１の表示領域と第２の表示領域とを有し、第１の表示領域と第２の表示領域とを観察者の目線の角度に応じて区別して表示する表示部と、第１の表示領域に第１の画像を表示させるための第１駆動部と、第２の表示領域に第１の画像とは独立した第２の画像を表示させるための第２駆動部と、運転席用の操作ボタン画像を第１駆動部を制御して第１の表示領域に表示させ、運転席用の操作ボタン画像と異なった助手席用の操作ボタン画像を第２駆動部を制御して第２の表示領域に表示させる制御部と、を有することを特徴としても良い。
【００４７】
さらに、本発明に係る表示装置では、表示部上に設けられた入力部をさらに有し、制御部は、操作ボタン画像上の入力装置が押圧されることによって、操作ボタンが選択されたことを判断するように構成されることが好ましい。所謂、タッチパネル等の入力方式を利用して、表示部に操作ボタン画像を表示し、表示された操作ボタン画像と入力部を利用して所望の入力を行えるように構成したものである。
【００４８】
さらに、本発明に係る操作ボタン画像のカスタマイズ方法では、第１の座席及び第２の座席の内の１つを選択する座席情報を入力するステップと、座席情報に対応させて操作ボタン画像における操作ボタンの表示部における表示位置を決定するステップと、決定された操作ボタン画像を登録するステップと、を有することを特徴としても良い。
【００４９】
さらに、本発明に係る操作ボタン画像のカスタマイズ方法では、選択した座席以外の座席に対応させて既に登録された操作ボタン画像の表示部における表示位置と、座席情報に対応させて決定された操作ボタン画像における操作ボタンの表示部における表示位置とが、表示部上で重複した場合に、登録するステップを禁止するステップ、をさらに有することが好ましい。１つの表示部で複数の画像（又は表示画像）を表示した場合であっても、入力部は１つであるので、複数の画像毎の操作入力が混同しないように操作ボタン画像を登録できるように構成したものである。
【００５０】
さらに、本発明に係る操作ボタン画像の使用方法では、第１の座席及び第２の座席の内の１つを選択する座席情報を入力するステップと、座席情報に対応して操作ボタン画像を読み出すステップと、読み出された操作ボタン画像を利用可能とするステップと、を有することを特徴としても良い。
【００５１】
さらに、本発明に係る操作ボタン画像の使用方法では、選択した座席以外の座席に対応させて既に利用されている操作ボタン画像の表示部における表示位置と、座席情報に対応して読み出された操作ボタン画像における操作ボタンの表示部における表示位置とが、表示部上で重複した場合に、利用可能とするステップを禁止するステップ、をさらに有することが好ましい。１つの表示部で複数の画像（又は表示画像）を表示した場合であっても、入力部は１つであるので、複数の画像毎の操作入力が混同しないように操作ボタン画像を使用できるように構成したものである。
【発明の効果】
【００５２】
本発明に係る視方向に応じて異なる画像の視認が可能な表示装置、そのような表示装置における操作ボタン画像のカスタマイズ方法及びそのような表示装置における操作ボタン画像の使用方法によれば、複数の画像を視認するそれぞれの操作者からの操作入力を適切に行うことが可能となった。
【００５３】
また、本発明に視方向に応じて異なる画像の視認が可能な表示装置における操作入力画像カスタマイズ方法によれば、１つの表示部で複数の画像（又は表示画像）を表示した場合であっても、複数の画像毎の操作入力が混同しないように操作ボタン画像を登録することが可能となった。
【００５４】
さらに、本発明に係る複数の画像を同時に表示することが可能な表示装置における操作入力画像設定方法によれば、１つの表示部で複数の画像（又は表示画像）を表示した場合であっても、複数の画像毎の操作入力が混同しないように操作ボタン画像を使用することが可能となった。
【発明を実施するための最良の形態】
【００５５】
以下、本発明の実施の形態を図面にしたがって説明する。但し、本発明の技術的範囲はそれらの実施の形態に限定されず、特許請求の範囲に記載された発明とその均等物に及ぶ物である。
【００５６】
図１は、本発明に係わる表示装置の概念図である。図中、１は第１の画像ソース、２は第２の画像ソース、３は第１の画像ソースからの第１の画像データ、４は第２の画像ソースからの第２の画像データ、５は表示制御部、６は表示データ、７は表示部（例えば液晶パネル等）、８は第１の画像ソース１に基づく第１の表示画像、９は第２の画像ソース２に基づく第２の表示画像、１０は表示部７に対して左側に位置する観察者（利用者）、１１は表示部７に対して右側に位置する観察者（利用者）である。
【００５７】
図1の概念図は、表示部７に対する観察者１０、１１の相対的位置に応じて、換言すれば表示部７に対する視野角に応じて、観察者１０は第１の表示画像８を、観察者１１は第２の表示画像９を実質的に同時に見ることができ、しかも各々の表示画像８、９は表示部７の表示面全体に渡ってみることができることを概念的に示している。図１において、第１の画像ソース１は例えばＤＶＤプレーヤの映画画像やテレビ受信機の受信画像等、第２の画像ソース２は例えばカーナビゲーション装置の地図やルート案内画像等であり、それぞれの第１の画像データ３及び第２の画像データ４は表示制御部５に供給され、それらを表示部７で実質的に同時に表示できるように処理される。
【００５８】
表示制御部５から表示データ６を供給される表示部７は、後述する視差バリアを備えた液晶パネル等で構成される。表示部７の横方向の総画素の半数が第１の画像ソース１に基づく第１の表示画像８の表示に、残りの半数の画素が第２の画像ソース２に基づく第２の表示画像９の表示に使用される。表示部７に対して左側に位置する観察者１０には、第１の表示画像８に対応する画素のみが見え、第２の表示画像９は表示部７の表面に形成されている視差バリアによって遮られて実質的に見えない。一方、表示部７に対して右側に位置する観察者１１には、第２の表示画像９に対応する画素のみが見え、第１の表示画像８は視差バリアにより遮られて実質的に見えない。
【００５９】
係る構成により、単一の画面で左右の利用者に異なる情報やコンテンツを提供することができる。もちろん、第１、第２の画像ソースが同じであれば、従来通り左右の利用者が同じ画像を見ることもできる。
【００６０】
図２は、本発明に係るマルチビュー表示装置の車両への搭載例を示す斜視図である。図中、１２は助手席、１３は運転席、１４はウインドシールド、１５は操作部、１６はスピーカである。
【００６１】
図１のマルチビュー表示装置の表示部７は、例えば図２に示すように、運転席１３と助手席１２とのほぼ中央のダッシュボード部分に配置される。マルチビュー表示装置に対する各種操作は、表示部７の表面に一体的に形成したタッチパネル（図示せず）や操作部１５又は、赤外線又は無線リモートコントローラ（図示せず）の操作によって行われる。車両の各ドアにはスピーカ１６が配置され、表示画像に連動した音声や警告音等が出力される。
【００６２】
運転席１３に図１の観察者１１が、助手席１２には観察者１０が座る。表示部７に対する第１視方向（運転席側）から見ることができる画像は例えばカーナビゲーション装置の地図等の画像であり、実質的に同時に第２視方向（助手席側）から見ることができる画像は例えばテレビ受信画像やＤＶＤムービー画像である。従って、運転席１３の運転者がカーナビゲーションによる運転支援を受けるのと同時に助手席１２の同乗者はテレビやＤＶＤを楽しむことができる。しかもそれぞれの画像は例えば７インチの画面全体を使用して表示されるため、従来のマルチウインドウ表示のように画面サイズが小さくなることもない。つまり、運転者、同乗者にとっては、あたかも各々に独立した専用のディスプレイがあるかの如く、それぞれに最適な情報やコンテンツが提供されるのである。
【００６３】
図３は、表示部７の断面構造の概略図である。図中、１００は液晶パネル、１０１はバックライト、１０２は液晶パネルのバックライト側に設置された偏光板、１０３は液晶パネルの発光方向側の前面に配置された偏光板、１０４はＴＦＴ(Thin Film Transistor)基板、１０５は液晶層、１０６はカラーフィルタ基板、１０７はガラス基板、１０８は視差バリアである。液晶パネル１００は、ＴＦＴ基板１０４とそれに対向して配置されるカラーフィルタ基板１０６の間に液晶層１０５を挟持した一対の基板と、その発光方向側の前面に配置された視差バリア１０８とガラス基板１０７とを、２枚の偏光板１０２及び１０３の間に挟んだ構成となっており、バックライト１０１からやや離隔して配設される。また、液晶パネル１００は、ＲＧＢ色（三原色）で構成される画素を有する。
【００６４】
液晶パネル１００の各画素は、左側（助手席側）表示用と、右側（運転席側）表示用に分けられて表示制御される。そして、左側（助手席側）表示用画素は、視差バリア１０８により右側（運転席側）への表示は遮断され、左側（助手席側）からは見えるようになっている。また、右側（運転席側）表示用画素は、視差バリア１０８により左側（助手席側）への表示が遮断され、右側（運転席側）からは見えるようになっている。これによって、例えば運転者１１と同乗者１０に異なった表示を提供することが可能となる。つまり、運転者１１にはナビゲーションの地図情報９を与え、同時に同乗者１０にはＤＶＤの映画等８を見せることが可能となる。なお、視差バリア１０８、前記液晶パネルの各画素の構成を変更すれば、３方向等、複数方向に異なった画像を表示する構成も可能である。また、視差バリア自体を電気的に駆動可能な液晶シャッタ等で構成して視野角を可変するようにしてもよい。
【００６５】
図４は、表示パネルを正面から見た構造の概略図であり、図３は図４中のＡ−Ａ′断面である。図中、１０９は左側（助手席側）表示用の画素、１１０は右側（運転席側）表示用の画素である。図３及び図４は、例えば横方向に８００画素、縦方向に４８０画素並べられた液晶パネル１００の一部を表す。左側（助手席側）表示用の画素１０９と右側（運転席側）表示用の画素１１０は縦方向にグループ化され、交互に並んでいる。視差バリア１０８は、横方向にある間隔で配置され、縦方向には一様である。これによって、左側から表示パネルを見ると、視差バリア１０８が右側用画素１１０を覆い隠して、左側用画素１０９が見える。また同様に右側から見ると、視差バリア１０８が左側用画素１０９を覆い隠して、右側用画素１１０が見える。さらに正面付近では、左側用画素１０９と右側用画素１１０の両方が見えるため、左側表示画像と右側表示画像とが実質的に重なって見える。ここで、図４中の交互に並んだ左側用画素１０９及び右側用画素１１０は、図３のようにＲＧＢ色を有しているが、各グループ縦方向内は、Ｒ列、Ｇ列、Ｂ列のように単色で構成されていてもよいし、ＲＧＢが複数混じった列として構成されていてもよい。
【００６６】
図５はＴＦＴ基板１０４の概略を示す回路図である。１１１は表示パネル駆動部、１１２は走査線駆動回路、１１３はデータ線駆動回路、１１４はＴＦＴ素子、１１５〜１１８はデータ線、１１９〜１２１は走査線、１２２は画素電極、１２３はサブピクセルである。図５に示すように、サブピクセル１２３は各データ線１１５〜１１８及び各走査線１１９〜１２１によって囲まれた領域を一単位とし、複数形成される。各サブピクセルには、液晶層１０５に電圧を印加する画素電極１２２とそれをスイッチング制御するＴＦＴ素子１１４が形成されている。表示パネル駆動部１１１は走査線駆動回路１１２及びデータ線駆動回路１１３の駆動タイミングを制御する。走査線駆動回路１１２はＴＦＴ素子１１４の選択走査を行い、またデータ線駆動回路１１３は画素電極１２２への印加電圧を制御する。
【００６７】
前記複数のサブピクセルは、第１の画像データと第２の画像データの合成データもしくは、第１と第２の個々の画像データに基づいて、例えばデータ線１１５と１１７に第１の画素データ（左側画像表示用）を、またデータ線１１６と１１８に第２の画素データ（右側画像表示用）を送信することよって、第１の画像を表示する第１の画像データ群と第２の画像を表示する第２の画像データ群が形成される。
【００６８】
図６は、本発明に係わる表示装置の概略を示すブロック図であり、いわゆるオーディオ・ビジュアル・ナビゲーション（Audio Visual Navigation）複合機への適用例である。図中、１２４はタッチパネル、２００は制御部、２０１はＣＤ／MD再生部、２０２はラジオ受信部、２０３はＴＶ受信部、２０４はＤＶＤ再生、２０５はＨＤ（Hard Disk）再生部、２０６はナビゲーション部、２０７は分配回路、２０８は第１の画像調整回路、２０９は第２の画像調整回路、２１０は音声調整回路、２１１は画像出力部、２１２はＶＩＣＳ情報受信部、２１３はＧＰＳ情報受信部、２１４はセレクタ、２１５は操作部、２１６はリモコン送受信部、２１７はリモコン、２１８はメモリ、２１９は外部音声／映像入力部、２２０はカメラ、２２１は明るさ検知手段、２２２は乗員検知手段、２２３はリア表示部、２２４はＥＴＣ車載器、２２５は通信ユニットである。
【００６９】
表示部７は、タッチパネル１２４、液晶パネル１００及びバックライト１０１から構成される。表示部７の液晶パネル１００は、これまでに述べてきたように、第１視方向として運転席側から見られる画像と、第２視方向として助手席側から見られる画像とを、実質的に同時に表示することが可能となっている。尚、表示部７には、液晶パネル以外のフラットパネルディスレイ、例えば有機ＥＬディスプレイパネル、プラズマディスプレイパネル、冷陰極フラットパネルディスプレイ等を用いることもできる。
【００７０】
制御部２００は、各種ソース（ＣＤ／ＭＤ再生部２０１、ラジオ受信部２０２、ＴＶ受信部２０３、ＤＶＤ再生部２０４、ＨＤ再生部２０５及びナビゲーション部２０６）からの画像や音声は、制御部２００からの指示に基づき左用に指定された画像ソースを２０８に、右用に指定されたソースを２０９に分配させる分配回路２０７を介して、画像であれば第１の画像調整回路２０８及び第２の画像調整回路２０９に、音声であれば音声調整回路２１０にそれぞれ分配される。そして、第１及び第２の画像調整回路２０８、２０９では、輝度や色調、コントラストなどが調整され、調整された各画像を画像出力部２１１にて、表示部７に表示させる。また音声調整回路２１０では各スピーカへの分配や音量、音声が調整され、調整された音声が、スピーカ１６から出力される。
【００７１】
図７は画像出力部２１１の概略を示すブロック図である。図中、２２６は第１の書込回路、２２７は第２の書込回路、２２８はＶＲＡＭ（Video RAM）である。
【００７２】
画像出力部２１１は、例えば図７に示すように、第１の書込回路２２６と第２の書込回路２２７とＶＲＡＭ（Video RAM）２２８と表示パネル駆動部１１１とを備えている。例えば、第１の書込回路２２６は、第１の画像調整回路２０８で調整された画像データのうち奇数列に対応する画像データ（即ち、図１の第１の表示画像８用の画像データ）を、第２の書込回路２２７は、第２の画像調整回路２０９で調整された画像データのうち偶数列に対応する画像データ（即ち、図１の第２の表示画像９用の画像データ）をもとにし、それぞれＶＲＡＭ２２８における該当する領域に書き込む。また表示パネル駆動部１１１は液晶パネル１００を駆動する回路であり、ＶＲＡＭ２２８に保持されている画像データ（第１の画像データと第２の画像データの合成データ）に基づいて、液晶表示パネル１００の対応する画素を駆動する。尚、ＶＲＡＭ２２８には第１の画像データと第２の画像データの合成されたマルチビュー表示用の画像に対応するように画像データの書き込みが行われているので、駆動回路は１つでよく、その動作も通常の液晶表示装置の駆動回路の動作と同じである。また別の構成として、第１の画像データと第２の画像データを合成せずに、それぞれの画像データに基づいて、液晶表示パネルの対応する画素を駆動する第１の表示パネル駆動回路及び第２の表示パネル駆動回路を用いることも考えられる。
【００７３】
ここで、図６で示した各種ソースの一例について説明をすると、ＨＤ再生部２０５を選択した場合、ハードディスク（ＨＤ）に記憶されたＭＰ３ファイル等の音楽データやＪＰＥＧファイル等の画像データ、ナビゲーション用の地図データ等が読み出され、音楽データを選択するためのメニュー表示や画像データを表示部７に表示させることができる。
【００７４】
ナビゲーション部２０６は、ナビゲーションの為に利用される地図情報を記憶した地図情報記憶部を備え、ＶＩＣＳ情報受信部２１２、ＧＰＳ情報受信部２１３から情報を入手し、ナビゲーション動作の為の画像を作成し、表示させることができる。またＴＶ受信部２０３は、アンテナからセレクタ２１４を介して、アナログＴＶ放送波及びデジタルＴＶ放送波を受信する。
【００７５】
図８は制御部２００の概略を示すブロック図である。図中、２２９はインターフェース、２３０はＣＰＵ、２３１は記憶部、２３２はデータ記憶部である。
【００７６】
制御部２００は分配回路２０７並びに各種ソースを制御し、選択された２つのソースもしくは１つのソースについて表示を行わせる。また制御部２００は、これら各種ソースをコントロールするための操作メニュー表示を表示部７に表示させることも行っている。ここで、図８で示すように、制御部２００はマイクロプロセッサなどで構成され、インターフェース２２９を介して、表示装置内の各部や各回路を統括的に制御しているＣＰＵ２３０を備えている。このＣＰＵ２３０には、表示装置の動作に必要な各種のプログラムを保持するＲＯＭからなるプログラム記憶部２３１と、各種のデータを保持するＲＡＭからなるデータ記憶部２３２とが設けられている。なお、ＲＯＭやＲＡＭ等は、ＣＰＵに内蔵されたものでも、外部に設けたものでも使用することが可能である。又、ＲＯＭはフラッシュメモリの様に電気的に書き換え可能な不揮発性メモリでもよい。
【００７７】
ユーザは、上記各種ソースのコントロールを、表示部７の表面に取り付けられているタッチパネル１２４や表示部７の周囲に設けられたスイッチ、もしくは音声認識等の入力操作や選択操作を操作部２１５によって行うことができる。またリモコン送受信部２１６を介して、リモコン２１７により入力もしくは選択操作をしてもよい。制御部２００は、このタッチパネル１２４や操作部２１５の操作に従って、各種ソースを含めた制御を行っている。また、制御部２００は、図２のように車両内に複数備え付けられたスピーカ１６の各音量等を、音声調整回路２１０を用いて制御することができるように構成されている。また制御部２００は、メモリ２１８に画質設定情報やプログラム、車両情報等の各種設定情報を記憶させることも行っている。
【００７８】
図９はメモリ２１８の概略を示すブロック図である。図中、２３３は第１の画面ＲＡＭ、２３４は第２の画面ＲＡＭ２３４、２３５は画質設定情報記憶手段、２３６は対環境調整値保持手段である。
【００７９】
メモリ２１８は、例えば図９に示すように、使用者が設定した第１の画像および第２の画像の画質の調整値がそれぞれ書き込み可能な第１の画面ＲＡＭ２３３および第２の画面ＲＡＭ２３４を有する。また、第１の画像及び第２の画像の画質を調整する場合に、読み出すことができるプリセット値として各画質調整用に予め複数段階の画質調整値が記憶されている画質設定情報記憶手段２３５も有する。さらに車外の明るさ変化等の周囲環境変化に応じた画質を調整するために、周囲環境に対する第１の映像及び第２の映像の画質の調整値を保持する対環境調整値保持手段２３６を有している。ここで画質設定情報記憶手段２３５及び対環境調整値保持手段２３６は、フラッシュメモリなどの電気的書き換え可能不揮発性メモリ又はバッテリバックアップされた揮発性メモリにより構成される。
【００８０】
外部音声／画像入力部２１９に接続された、例えば後方監視用のカメラ２２０からの画像を表示部７に表示するようにしてもよい。なお、後方監視用カメラ２２０以外に、ビデオカメラ及びゲーム機等を外部音声／画像入力部２１９に接続してもよい。
【００８１】
制御部２００は、明るさ検知手段２２１（例えば、車両のライトスイッチや光センサ）や乗員検知手段２２２（例えば、運転席や助手席に設けられる感圧センサ）により検知された情報を元に、音声の定位位置等の設定を変更させることが可能である。
【００８２】
２２３は車両の後席用に設けられたリア表示部であり、画像出力部２１１を介して、表示部７に表示される画像と同じもの、もしくは運転席用の画像か助手席用の画像の一方が表示可能である。
【００８３】
制御部２００は、ＥＴＣ車載器２５０からの料金表示等を表示させることを行っている。また制御部２００は、携帯電話などと無線接続するための通信ユニット２２５を制御し、これに関する表示がされるようにしてもよい。
【００８４】
図１０は、本発明の説明のために、表示装置２０の特徴部分を示した概要ブロック図である。図１０において、図６と同じ構成には同じ番号を付した。図１０では、図６の構成に加えて、表示装置２０に、指紋照合部３３０、指紋センサ３３２及び音声調整回路２１０を追加して記載している。
【００８５】
表示部７は、前述したように、タッチパネル１２４、液晶パネル１００及びバックライト１０１等から構成される。第１の画像調整回路２０８は、運転席側への画像を表示する第１の帯状部の駆動表示制御を行い、第２の画像調整回路２０９は、助手席側への画像を表示する第２の帯状部の駆動表示制御を行う。
【００８６】
制御部２００は、各種ソース（ＣＤ／ＤＶＤ再生部２０１、ラジオ受信部２０２、ＴＶ受信部２０３、及びナビゲーション部２０６）からの画像を、第１及び第２駆動部２０２及び２０４を用いて、運転席側と助手席側とで別々に、液晶パネル１００に表示する。
【００８７】
操作者は、表示部７の表面に取り付けられているタッチパネル１２４、表示部７の周囲に設けられ、各種ボタン、スイッチ等から構成される操作部１５、及び／又はリモコン２１７から、各種データ及び操作入力を行うことができる。
【００８８】
制御部２００は、指紋センサ３３２上に操作者の指先が置かれると、指紋センサ３３２から操作者の指紋データを検出し、指紋照合部３３０に記憶されている指紋照合プログラムを用いて、メモリ２１８に記憶されている指紋データとの照合を行い、指紋センサ３３２上に指先を置いた操作者の認証を行えるように構成されている。なお、操作者を特定するための他の生体認証手段、例えば、静脈認証手段及び網膜認証手段等を、上記の指紋認証手段に変えて用いることもできる。
【００８９】
また、制御部２００は、車両１９の各部に置かれた第１スピーカ１６−１〜第４スピーカ１６−４の各音量等を音声調整回路２１０を用いて制御することができるように構成されている。
【００９０】
さらに、制御部２００は、車両１９の各シートにヘッドレスト部に配置された第１検出センサ３２０〜第５検出センサ３２８から音量を音声検出部３００を介して検出することができるように構成されている。
【００９１】
ナビゲーション部２０６は、ナビゲーションの為等に利用される地図情報を記憶した地図情報記憶部、ジャイロセンサ、車速パルス検出部等を含み、さらにＶＩＣＳ情報受信部２１２及びＧＰＳ情報受信部２１３からの各種データを用いてナビゲーション動作の為の画像を作成及び出力し、制御部２００を介して表示部に表示する。
【００９２】
図２に示すように、運転席１３と助手席１２とのほぼ中央のダッシュボード部分に表示部７を配置し、表示部７の下部に操作部１５及び指紋センサ３３２を配置した。また、運転席側ドアの下部に配置されたスピーカ１６は、第１スピーカ１６−１である。
【００９３】
図１１に、スピーカ及び検出センサの配置例を示す。図１１に示すように、第１スピーカ１６−１を運転席側ドアに、第２スピーカ１６−２を助手席側ドアに、第３スピーカ１６−３をリアシート１８の右側に、第４スピーカ１６−４をリアシート１８の左側に配置した。また、第１検出センサ３２０を運転席１３のヘッドレスト２３中に配置し、第２検出センサ３２２を助手席１２のヘッドレスト２４中に配置し、第３検出センサ３２４をリアシート１８のヘッドレスト２５中に配置し、第４検出センサ３２６をリアシート１８のヘッドレスト２６中に配置し、第５検出センサ３２８をリアシート１８のヘッドレスト２７中に配置した。なお、上記スピーカと検出センサの配置例は一例であって、車両の内形状やシートの配置等に応じて、他の様々な態様を取ることが可能である。
【００９４】
図１２に、表示部７の断面形状を示す概略図を示す。タッチパネル１２４は、可撓性のある透明絶縁基板対１３０及び１３８、透明絶縁基板上にそれぞれ形成された透明電極１３２及び１３６、及び透明電極１３２上にマトリックス状に配置したドットスペーサ１３４等から構成され、操作者が透明電極基板１３０上を押圧することによってドットスペーサ１３４が透明電極１３６に接触すると、その接点の位置が電気抵抗の測定によって検知されて、制御部２００において、入力情報が読み取られるように構成されている。なお、タッチパネル１２４は、上記の構成に限定されるものではなく、他の方式のものを採用することも可能である。
【００９５】
液晶パネル１００は、縦方向に複数の帯状部に分割され、左側（助手席側）表示画素１０９と右側（運転席側）表示画素１１０が交互に形成されている。全ての左側（助手席側）表示画素１０９は第１の画像調整回路２０８によって駆動制御され、全ての右側（運転席側）表示画素１１０は第２の画像調整回路２０９によって駆動制御される。
【００９６】
液晶パネル１００の表面側には、ポリカーボネイト等から形成される視差バリア１０８´が配置される。視差バリア１０８´の表裏には、遮光帯１４２及び１４４が交互に形成されている。図１２の例では、遮光帯１４２及び１４４が交互に形成されている視差バリア１０８´を用いたが、図３に示すような視差バリア１０８を用いることも勿論可能である。
【００９７】
右側の乗員４００は、視差バリア１０８´の作用によって、各右側（運転席側）表示画素１１０の集合体としての画像のみを運転席用表示画像として視認することができる。一方、左側の乗員４０１は、視差バリア１０８´の作用によって、各左側（助手席側）表示画素１０９の集合体としての画像のみを助手席用表示画像視認することができる。このように実際は、１つの画面を縦方向に複数分割した１つ置きの画像を視認することとなるが、１つの帯状部の幅を非常に狭くすることによって、右側からも、左側からも別々の画像をそれぞれ視認することが可能となる。
【００９８】
図１３に、前述した表示装置を用いて操作ボタン配置のカスタマイズを行うための登録時動作フローの一例を示す。以下の動作フローは、主に制御部２００が、予め記憶されたプログラムにしたがって、実行するものとする。
【００９９】
表示装置２０の電源はＯＮとされ、各種機能が動作可能な状態において、操作部１５又はリモコン２１７等によるカスタマイズの指示入力によってプログラムが開始される（Ｓ１）。
【０１００】
次に、カスタマイズの為の動作が選択されると、カスタマイズ用の画像が表示部７に表示される（Ｓ２）。図１４に、画面に表示されるカスタマイズ用画像の一例を示す。操作者は、図１４に示す画面に表示されるカスタマイズ用画像上で、設定１〜設定３の中の１つの登録ボタン、例えば４０１を選択する。
【０１０１】
次に、助手席（Ｐ席）又は運転席（Ｄ席）におけるボタン配置のカスタマイズの為に、カスタマイズする側の座席の設定を行う（Ｓ３）。座席の設定を行うための画像の表示の一例を図１５に示す。図１４に示す画面に表示されている画像上で、例えば登録ボタン４０１が選択されると、自動的に図１５に示す選択画像が画面に表示されるので、操作者は、画面で運転席４０４か助手席４０５を選択する。各シートに着座センサ等が配置されており、予め、どの席の操作者が操作しているかが判別可能な場合には、このステップを省略することができる。
【０１０２】
次に、カスタマイズに対応する人物の設定を行う（Ｓ４）。人物の設定を行うための画像の表示の一例を図１６に示す。図１５に示す画面に表示されている画像上で、座席が選択されると、自動的に図１６に示す画像が画面に表示されるので、操作者は自己を特定する操作者名（例えば、「父」等）を操作部１５、リモコン２１７又はソフトキーボード等を利用して、所定の欄４０６に入力する。なお、操作者を特性しないで（表示装置に共通の設定を行う場合等）、カスタマイズを行う場合には、このステップを省略することができる。
【０１０３】
なお、操作者名の登録と同時に、指紋センサ３３２を用いて、指紋データの登録を行うことができる。登録された指紋データは、操作者名と共にメモリ２１８に記憶される。なお、操作者を特性しないで（例えば、表示装置に共通の設定を行う場合等）、カスタマイズを行う場合には、このような処理は不要である。
【０１０４】
次に、現在登録をしようとする対象のソースの設定を行う（Ｓ５）。図１６に示す画面に表示されている画像上で、人物が設定されると、自動的に図１７に示す画像が画面に表示されるので、操作者は、例えばナビゲーションを選択するボタン４１３を選択して、カスタマイズを行うソースを設定する。なお、ソースを特定しないでカスタマイズを行う場合（例えば、全てのソースに対する共通設定を行う場合）には、このステップを省略することもできる。また、現在選択しているソースが対象のソースとして自動的に設定されるようにしても良く、その場合には操作者によるこのステップでの設定は不要となる。
【０１０５】
次に、設定された座席側における設定されたソースの操作ボタンのカスタマイズを行う（Ｓ６）。操作ボタンのカスタマイズでは、操作ボタンの大きさ、形、輝度、色、画面上の位置、機能を操作者が自由に設定することが可能である。また、本実施形態では、操作者は、操作部１５、リモコン２１７等を利用して、表示部７の表示領域中のどの場所にでも、操作ボタンを自由に配列できるように構成した。なお、設定操作方法として、他の様々な方式を採用することができることは言うまでもない。
【０１０６】
次に、操作者が設定した操作ボタンのカスタマイズが、禁止事項に該当するか否か判断される（Ｓ７）。
【０１０７】
禁止事項としては、今回登録しようとする操作ボタン配置が、既に登録されている反対側の座席用の操作ボタン配置と位置的に重複する場合が該当する。本実施形態では、表示部７の１つの画面を多重に分割して複数の操作者に異なった画像を視聴させることはできても、タッチパネル１２４は１つであるため、例えば、図２１に示すように、複数の操作者に対する操作ボタンの配置が表示部７上で近接配置され、操作領域が重複すると、どちらの座席用の操作入力であるかが、制御部２００側で判断できなくなるからである。図２１に示すように、表示部７の領域７０１は、実際には、左側表示用画素１０９及び右側表示用画素１１０とで構成されている（図４参照）。したがって、第１の表示画素８の一部の操作ボタン７０８は左側表示用画素１０９により表示され、第２の表示画素９の一部の操作ボタン７０９は右側表示用画素１１０により表示されている。即ち、操作ボタン７０８と操作ボタン７０９は表示部７上では、厳密には相互に近接配置されていることとなる。このように、複数の操作者に対する操作ボタンの配置が、表示部上で近接配置され、操作領域が重複する操作ボタン配置を、「重複」と称す。
【０１０８】
図１８に、運転席側の操作ボタン配置と、助手席側の操作ボタン配置が重複する場合の例を示す。図１８（Ａ）は助手席側で既に登録されているＣＤ操作用の操作ボタン配置例４１４を示し、図１８（Ｂ）は今回運転席側でのナビゲーション用に登録しようとする操作ボタン配置の例４１５を示している。今回、ナビゲーション用の操作ボタン配置の例４１５を登録してしまうと、制御部２００が表示部７において、運転席向けにはナビゲーション画像（操作用ボタンを含む）を表示し、助手席側向けにはＣＤ操作用画像を表示した場合、運転席側と助手席側で操作ボタン同士が位置的に重複してしまい、タッチパネル１２４を用いた入力がどちらの座席に関する操作入力であるのかを制御部２００が判断することができなくなる。
【０１０９】
そこで、本実施形態では、今回登録しようとする操作ボタン配置と、既に登録されている反対側の座席の全ての操作ボタン配置とを比較し、少しでも位置的に重複がある場合には、禁止事項に該当するものと判断するようにした。即ち、運転席側での登録の際であっても、既に助手席側で登録されている全ての操作ボタン配列との重複を確認し、完全に重複が無い場合のみ登録を許可することとした。
【０１１０】
しかしながら、操作ボタンの配列の重複を禁止する方法としては以下示すように様々な方法が考えられる。
【０１１１】
（１）運転席側での登録を優先して、運転席側での登録では禁止事項を設けず、助手席側での登録に際してのみ、既に登録されている全ての運転席側の登録との重複を判断するという方法。
【０１１２】
（２）また、いずれの席側での登録についても禁止事項を設けず、利用時に重複を判断する方法（図２０のフロー参照）。
【０１１３】
（３）予め、各座席における操作ボタンの配列可能領域を設定し（例えば、運転席側では、表示部７の画像領域中の運転席側の右半分）、それ以外の領域には操作ボタンを配置できないようにした方法。
【０１１４】
（４）予め運転席側と助手席側とで相互に重複することの無いパターンを幾つか用意しておき、操作者がその中から選択できるようにする方法。
【０１１５】
（５）運転席側と助手席側で相互に重複する部分のみを無効とする方法。
【０１１６】
なお、上記（３）及び（４）の場合には、潜在的に運転席側と助手席側とで操作ボタン配置に重複が生じる可能性が無いので、図１３に示すフローにおけるＳ７の判断は不要となる。
【０１１７】
Ｓ７で禁止事項に該当すると判断された場合には、禁止事項に該当する旨が、表示部７を利用して操作者に通知され（Ｓ８）、Ｓ６へ戻って、操作者に操作ボタン配置の再設定を促す。なお、通知を受けた操作者が、通知を無視して操作ボタン同士が重複するままで登録できるように構成しても良い。その場合、既に登録されている配置が自動的に移動されて、相互に重複しないようにしても良い。
【０１１８】
Ｓ７で禁止事項に該当しない場合には、今までの設定による操作ボタン配列データがメモリ２１８に記憶・登録され（Ｓ９）、一連の操作が終了する（Ｓ１０）。図１９(Ａ）に上記のようにして設定された運転席側、操作者名「父」、ナビゲーション操作用の操作ボタン配置の例４１６を示す。例えば、この操作ボタン配置４１６は、図１９（Ｂ）に示す既に登録されている助手席側のＣＤ操作用のボタン配置４１７と重複しないように設定されている。
【０１１９】
上述したフローにしたがって、特定の座席、特定の人物、及び特定のソースに関する、操作ボタン配置をカスタマイズして登録することが可能となった。なお、座席を設定するステップ（Ｓ３）、人物を設定するステップ（Ｓ４）及びソースを設定するステップ（Ｓ５）は、図１３に示した順序でなければならない訳ではなく、他の順序であっても良い。
【０１２０】
また、座席を設定するステップ（Ｓ３）、人物を設定するステップ（Ｓ４）及びソースを設定するステップ（Ｓ５）では、それぞれの使用頻度をメモリ２１８等にカウントしておき、各設定画面の初期表示として、最も使用頻度の高いものを特徴的に表示又は頻度順に並べて表示するようにしても良い。
【０１２１】
また、座席を設定するステップ（Ｓ３）、人物を設定するステップ（Ｓ４）及びソースを設定するステップ（Ｓ５）では、表示装置２０が電源ＯＦＦされた時の最後の状態をメモリ２１８等に記憶しておき、その時の設定を、各設定画像の初期表示として表示するようにしても良い。
【０１２２】
さらに、図１３のフローでは、表示部７において、２方向に対して異なった表示画像を表示する例に合わせて説明したが、３方向以上に対して、それぞれ異なった表示画像を表示する場合にもＳ３の設定を増やすことによって、図１３に示すフローに基づいて対応することが可能である。
【０１２３】
図２０に、カスタマイズを行った操作ボタン配置を使用するための操作時動作フローの一例を示す。以下の動作フローは、主に制御部２００が、予め記憶されたプログラムにしたがって、実行するものとする。
【０１２４】
表示装置２０の電源はＯＮとされ、各種機能が動作可能な状態の場合、単一の表示（表示部で１つの表示画像のみを表示する場合）から複数表示（複数の視方向に対する個別の表示画像を同一画面上に表示する場合）への、操作部１５又はリモコン２１７等による所定の指示入力の場合にプログラムが開始される（Ｓ１１）。
【０１２５】
次に、登録されたカスタマイズ情報に対応する人物の設定を行う（Ｓ１２）。人物の設定の選択は、表示部７に表示される適切な選択画像により行う。なお、選択画像を表示して選択する代わりに、指紋センサ３３２を用いて、人物設定を代行することも可能である。例えば、指紋センサ３３２から指紋データが入力されると、指紋照合部３３０はメモリ２１８に記憶されている指紋データとの照合を行い、指紋入力を行った人物を特定する。なお、人物に対応させて、カスタマイズを行っていない場合には、本ステップは不要である。
【０１２６】
次に、助手席（Ｐ席）又は運転席（Ｄ席）のどちらの側におけるカスタマイズ情報を読み出すのかを座席によって選択し（Ｓ１３）、さらに対象となるソースの設定を行う（Ｓ１４）。なお、座席に対応させてカスタマイズを行っていない場合にはＳ１３は不要であり、ソースに座席に対応させてカスタマイズを行っていない場合にはＳ１４は不要である。
【０１２７】
次に、特定の座席、特定の人物、及び特定のソースに関してカスタマイズされた操作ボタン配置データの読み出しを行う（Ｓ１５）。
【０１２８】
次に、読み出された操作ボタン配置が、禁止事項に該当するか否か判断される（Ｓ１６）。
【０１２９】
禁止事項としては、今回利用しようとする操作ボタン配置が、既に現在利用されている反対側の座席用の操作ボタン配置と重複する場合が該当する。それは、表示部７において、複数の操作者向けに異なった画像を表示させることはできても、タッチパネル１２４は１つであるため、操作ボタンの配列が重複すると、どちらの座席用の操作入力であるかが、制御部２００側で判断できないからである。
【０１３０】
Ｓ１６で禁止事項に該当すると判断された場合には、禁止事項に該当する旨が、表示部７を利用して操作者に通知され（Ｓ１７）、既に利用されている反対側の座席用の操作ボタン配置と重複しない標準操作ボタン配置が読み出されて、利用可能設定される（Ｓ１８）。なお、Ｓ１６で禁止事項に該当すると判断された場合には、標準操作ボタン配置を読み出すのではなく、禁止事項に該当しない操作ボタン配置を再度選択するように操作者に促すことも可能である。
【０１３１】
Ｓ１６で禁止事項に該当しない場合には、Ｓ１５で読み出された操作ボタン配置が、操作者に利用できるように設定されて、一連の操作が終了する（Ｓ１９）。
【０１３２】
このようにして、カスタマイズ登録された操作ボタン配置が読み出されて、運転席側と助手席側とで重複することなく操作者に使用できるように設定される。なお、カスタマイズ登録（図１３のフロー参照）時において、操作ボタン配置同士が重複しない場合のみに登録が許可されるような場合には、Ｓ１６のフローは不要となる。
【０１３３】
上記の実施形態では、運転席用と助手席用とに対してそれぞれ異なった画像を提供し、それぞれ異なった操作ボタン配置を提供するように構成したが、３つ以上の座席（例えば、前３座席の車両に対応する場合や、後部座席を含む場合等）に対しても同様に、それぞれ異なった画像を提供し、それぞれ異なった操作ボタン配置を提供するように構成することもできる。
【０１３４】
なお、上記の実施形態の他の例として、車両１９に乗員が搭乗した際に種々ある検出手段（例えば画像認識等）により乗員を特定し、又は、着座位置を検出（画像認識や着座アンサ等の検出手段を用いる）することで、人物及び座席方向を特定（設定）するようにしても良い。このような場合、操作者が操作部１５を介して選択したソースに対し、特定した人物及び座席方向におけるボタン配置を自動的に登録・読み出しを行うようにしても良い（メニュー設定ではなく、自動設定）。
【０１３５】
また、上記の実施形態では、車両に搭載された表示装置に関して説明したが、本発明に係る表示装置を部屋等に設置し、表示装置に向かって右側に座る操作者と左側に座る操作者に対してそれぞれ異なった画像を提供し、それぞれ異なった操作ボタン配置を提供するように構成することもできる。
【０１３６】
さらに、上記の実施形態では、運転席用と助手席用とに対してそれぞれ異なった操作ボタン配置を提供するように構成したが、操作ボタンには、所謂ボタン形状のもののみではなく、スライド型スイッチタイプや、ダイヤル式等、さまざまなタイプの操作入力形状が含まれるものとする。
【図面の簡単な説明】
【０１３７】
【図１】本発明に係る表示装置の概念図である。
【図２】表示装置の搭載例を示す斜視図である。
【図３】表示部の断面構造の概略図である。
【図４】表示パネルを正面から見た構造の概略図である。
【図５】ＴＦＴ基板の概略を示す回路図である。
【図６】本発明に係る表示装置の概略を示すブロック図である。
【図７】画像出力部２１１の概略を示すブロック図である。
【図８】制御部２００の概略を示すブロック図である。
【図９】メモリ２１８の概略を示すブロック図である。
【図１０】本発明に係る表示装置の概要構成を示すブロック図である。
【図１１】スピーカ及びセンサの配置例を示す図である。
【図１２】表示部の断面形状の概略を示す図である。
【図１３】登録時動作フローを示す図である。
【図１４】カスタマイズ用表示画面の一例を示す図である。
【図１５】座席設定用表示画面の一例を示す図である。
【図１６】人物設定用表示画面の一例を示す図である。
【図１７】ソース設定用表示画面の一例を示す図である。
【図１８】操作ボタン配置の一例を示す図である。
【図１９】操作ボタン配置の一例を示す図である。
【図２０】操作時動作フローを示す図である。
【図２１】操作ボタンの配置状態を説明するための図である。
【符号の説明】
【０１３８】
１    第１の画像ソース
２    第２の画像ソース
３    第１の画像データ
４    第２の画像データ
５    表示制御部
６    表示データ
７    表示部
８    第１の表示画像
９    第２の表示画像
１０、１１    観察者
１２    助手席
１３    運転席
１４    ウインドシールド
１５    操作部
１６    スピーカ
１８    リアシート
１９    車両
１００    液晶パネル
１０１    バックライト
１０２、１０３    偏光板
１０４    ＴＦＴ基板
１０５    液晶層
１０６    カラーフィルタ基板
１０７    ガラス基板
１０８    視差バリア
１０９    左側（助手席側）表示用の画素
１１０    右側（運転席側）表示用の画素
１１１    表示パネル駆動部
１１２    走査線駆動回路
１１３    データ線駆動回路
１１４    ＴＦＴ素子
１１５〜１１８    データ線
１１９〜１２１    走査線
１２２    画素電極
１２３    サブピクセル
１２４    タッチパネル
２００    制御部
２０１    ＣＤ／ＭＤ再生部
２０２    ラジオ受信部
２０３    ＴＶ受信部
２０４    ＤＶＤ再生部
２０５    ＨＤ再生部
２０６    ナビゲーション部
２０７    分配回路
２０８    第１の画像調整回路
２０９    第２の画像調整回路
２１０    音声調整回路
２１１    画像出力部
２１２    ＶＩＣＳ情報受信部
２１３    ＧＰＳ情報受信部
２１４    セレクタ
２１５    操作部
２１６    リモコン送受信部
２１７    リモコン
２１８    メモリ
２１９    外部音声／映像入力部
２２０    カメラ
２２１    明るさ検知手段
２２２    乗員検知手段
２２３    リア表示部
２２４    ＥＴＣ車載器
２２５    通信ユニット
２２６    第１の書込回路
２２７    第２の書込回路
２２８    ＶＲＡＭ
２２９    インターフェース
２３０    ＣＰＵ
２３１    記憶部
２３２    データ記憶部
２３３    第１の画面ＲＡＭ
２３４    第２の画面ＲＡＭ２３４
２３５    画質設定情報記憶手段
２３６    対環境調整値保持手段
３０２    音声検出部
３２０、３２２、３２４、３２６、３２８    検出センサ
３３０    指紋照合部
３３２    指紋センサ
【図１】
2006190245.tif 000003
【図２】
2006190245.tif 000004
【図３】
2006190245.tif 000005
【図４】
2006190245.tif 000006
【図５】
2006190245.tif 000007
【図６】
2006190245.tif 000008
【図７】
2006190245.tif 000009
【図８】
2006190245.tif 000010
【図９】
2006190245.tif 000011
【図１０】
2006190245.tif 000012
【図１１】
2006190245.tif 000013
【図１２】
2006190245.tif 000014
【図１３】
2006190245.tif 000015
【図１４】
2006190245.tif 000016
【図１５】
2006190245.tif 000017
【図１６】
2006190245.tif 000018
【図１７】
2006190245.tif 000019
【図１８】
2006190245.tif 000020
【図１９】
2006190245.tif 000021
【図２０】
2006190245.tif 000022
【図２１】
2006190245.tif 000023